(57)【要約】【課題】排尿時から時間が経過した場合であっても尿のｐＨ値を把握することができるペット用吸収性シートを提供する。【解決手段】透液性の表面シートと、不透液性の裏面シートと、両面をクレープ紙で包まれると共に表面シートと裏面シートとの間に介装される高吸水性樹脂を含む吸収体とを備えたペット用吸収性シートにおいて、表面シート側のクレープ紙上、或いは、表面シート上に濡れることで機能を発揮する機能性インクで形成されたｐＨ判別部とを備え、ｐＨ判別部の下側に位置する吸収体に高吸水性樹脂が存在しない領域が形成されたことを特徴とする。【選択図】図２
2014068591.tif 000002
【特許請求の範囲】
【請求項１】
透液性の表面シートと、不透液性の裏面シートと、両面をクレープ紙で包まれると共に前記表面シートと前記裏面シートとの間に介装される高吸水性樹脂を含む吸収体とを備えたペット用吸収性シートにおいて、
前記表面シート側の前記クレープ紙上、或いは、前記表面シート上に濡れることで機能を発揮する機能性インクで形成されたｐＨ判別部とを備え、
前記ｐＨ判別部の下側に位置する前記吸収体に前記高吸水性樹脂が存在しない領域が形成されたことを特徴とするペット用吸収性シート。
【請求項２】
前記領域は、前記ｐＨ判別部の下側に位置する前記吸収体の少なくとも上部に形成されたことを特徴とする請求項１に記載のペット用吸収性シート。
【請求項３】
前記ｐＨ判別部は、前記表面シート側の前記クレープ紙上、或いは、前記表面シート上に整列して形成され、
前記ｐＨ判別部が並ぶ列の全体に亘って前記領域が形成されたことを特徴とする請求項１又は２に記載のペット用吸収性シート。
【請求項４】
前記吸収体に、少なくとも前記領域の境界に沿ってエンボスが施されたことを特徴とする請求項１〜３の何れか一項に記載のペット用吸収性シート。
【請求項５】
前記ｐＨ判別部の下側に位置する前記吸収体は、少なくとも前記高吸水性樹脂が存在しない上層吸収体と前記高吸水性樹脂が均一に存在する下層吸収体とから構成されたことを特徴とする請求項１に記載のペット用吸収性シート。
【発明の詳細な説明】
【技術分野】
【０００１】
本発明は、ペット用吸収性シートに関する。
【背景技術】
【０００２】
近年室内犬の市場が伸張しており、犬、猫等のペットが排泄した尿等を吸収するためのペット用吸収性シートが普及している。こうしたペット用吸収性シートとしては、透液性の表面シートと、不透液性の裏面シートと、両面をクレープ紙で包まれると共に表面シートと裏面シートとの間に介装される吸収体と、を備える構成が知られている。
【０００３】
このようなペット用吸収性シートとして、尿などで濡れることで機能を発揮すべく特殊な機能性インク（例えば、ｐＨインジケーターを含んだ特殊インク：以下、単にｐＨインクと呼ぶ。）で形成されたｐＨ判別部（図柄、模様など）をシートの一部に備え、動物の尿とこのｐＨインクとの変色反応により、排尿時に尿のｐＨ値と尿自体の色を同時に把握できるペット用吸収性シートが実現されている（例えば、特許文献１参照）。
【０００４】
また、動物等の尿のｐＨ値を把握するシートとして、ｐＨインクが印刷、塗布、或いは、含浸される素材から構成されたシートであって、動物等の尿とこのｐＨインクとの変色反応により動物の病気を容易に手軽に、且つ、早期に発見できるシートが実現されている（例えば、特許文献２参照）。
【先行技術文献】
【特許文献】
【０００５】
【特許文献１】特開２０１２−０５０４０５号公報
【特許文献２】特開平１０−３１３８９４号公報
【発明の概要】
【発明が解決しようとする課題】
【０００６】
しかしながら、特許文献１に記載されたペット用吸収性シートでは、排尿直後では尿のｐＨ値を反映した色を呈しているものの、時間の経過と共にｐＨインクでｐＨ判別部が形成されたシートが、吸収体内の高吸水性樹脂（ポリマー）の影響により乾いてしまうために、変色反応による色が変化してしまい、本来のｐＨ値とは異なる色を呈してしまう。
このため、排尿時から時間が経過した場合には、ペット用吸収性シートに現れた色から正しいｐＨ値を把握することができないと言った問題点があった。
【０００７】
本発明の課題は、排尿時から時間が経過した場合であっても尿のｐＨ値を把握することができるペット用吸収性シートを提供することにある。
【課題を解決するための手段】
【０００８】
前記課題を解決するために、請求項１記載の発明は、
透液性の表面シートと、不透液性の裏面シートと、両面をクレープ紙で包まれると共に前記表面シートと前記裏面シートとの間に介装される高吸水性樹脂を含む吸収体とを備えたペット用吸収性シートにおいて、
前記表面シート側の前記クレープ紙上、或いは、前記表面シート上に濡れることで機能を発揮する機能性インクで形成されたｐＨ判別部とを備え、
前記ｐＨ判別部の下側に位置する前記吸収体に前記高吸水性樹脂が存在しない領域が形成されたことを特徴とする。
【０００９】
請求項２記載の発明は、請求項１に記載のペット用吸収性シートにおいて、前記領域は、前記ｐＨ判別部の下側に位置する前記吸収体の少なくとも上部に形成されたことを特徴とする。
【００１０】
請求項３記載の発明は、請求項１又は２に記載のペット用吸収性シートにおいて、前記ｐＨ判別部は、前記表面シート側の前記クレープ紙上、或いは、前記表面シート上に整列して形成され、前記ｐＨ判別部が並ぶ列の全体に亘って前記領域が形成されたことを特徴とする。
【００１１】
請求項４記載の発明は、請求項１〜３の何れか一項に記載のペット用吸収性シートにおいて、前記吸収体に、少なくとも前記領域の境界に沿ってエンボスが施されたことを特徴とする。
【００１２】
請求項５記載の発明は、請求項１に記載のペット用吸収性シートにおいて、前記ｐＨ判別部の下側に位置する前記吸収体は、少なくとも前記高吸水性樹脂が存在しない上層吸収体と前記高吸水性樹脂が均一に存在する下層吸収体とから構成されたことを特徴とする。
【発明の効果】
【００１３】
本発明によれば、ｐＨ判別部の下側に位置する吸収体にポリマーが存在しない領域が形成されたことにより、ｐＨ判別部が形成されたクレープ紙や表面シートが時間の経過により乾く速度が遅くなるで、排尿時から時間が経過した場合であっても尿のｐＨ値を反映した色を呈することができ、尿のｐＨ値を把握することができる。
【図面の簡単な説明】
【００１４】
【図１】第１実施形態のペット用吸収性シートの一例を示す平面図である。
【図２】図１のII−II断面の一例を示す図である。
【図３】第２実施形態のペット用吸収性シートの一例を示す平面図である。
【図４】図３のIV−IV断面の一例を示す図である。
【図５】第３実施形態のペット用吸収性シートの一例を示す平面図である。
【図６】図５のVI−VI断面の一例を示す図である。
【図７】変形例１のペット用吸収性シートの一例を示す平面図である。
【図８】変形例２のペット用吸収性シートの一例を示す平面図である。
【発明を実施するための形態】
【００１５】
以下、図面を参照しつつ、本発明の実施形態であるペット用吸収性シートを詳細に説明する。但し、発明の範囲は、図示例に限定されない。
【００１６】
（第１実施形態）
本発明の第１実施形態のペット用吸収性シートについて、図１及び図２に基づいて説明する。
【００１７】
ペット用吸収性シート１００、図１に示すように、略長方形の形状となっており、例えば、ペット用トイレの床面やフローリング等の上に敷いて使用され、ペットにより排泄された排泄物の水分を表面からシート内に吸収する。また、ペット用吸収性シート１００にはｐＨインクでｐＨ判別部１が形成されている。
【００１８】
ペット用吸収性シート１００は、尿等の液体を速やかに透過させる透液性の表面シート、表面シートの裏面側に配置される不透液性の裏面シート、これら表面シートと裏面シートとの間に介装される吸収体等を備えて構成されている。
【００１９】
表面シートは、有孔又は無孔の不織布や、多孔性プラスチックシート等により形成されている。不織布を構成する素材繊維としては、ポリエチレン又はポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、又はこれらを組み合わせた方法が挙げられる。
表面シートに多数の透孔を形成した場合には、尿等の液体がより速やかに吸収されるようになり、ドライタッチ性に優れたものとなる。
【００２０】
裏面シートは、不透液性の素材であれば、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シート等を用いることができる。また、熱や圧力をかけることで繊維の空隙を小さくしたり、高吸水性樹脂又は疎水性樹脂や撥水剤を塗布したりして、プラスチックフィルムを用いずに不透液性としたシートを裏面シートとして用いることができる。
【００２１】
ペット用吸収性シート１００の周縁において、表面シートと裏面シートとは、ホットメルト接着剤、ヒートシール、超音波シール等により貼り合わされている。
【００２２】
吸収体は、尿等の水様成分を吸収するものであり、例えば、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。
また、当該吸収体は、高吸水性樹脂（ＳＡＰ；Super Absorbent Polymer）を含むものである。
【００２３】
高吸水性樹脂（以下、単にポリマーと呼ぶ。）としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨潤性ポリマーを部分架橋したもの、又はイソブチレンとマレイン酸との共重合体等が好適に用いられる。
さらに、消臭機能を持たせるため、吸収体に消臭剤を入れてもよい。消臭剤としては、例えば、活性炭や天然鉱物（例えば、ベンナイト、カオリナイト、カネマイト等）、合成無機物（ゼオライト、アモルファスシリカ等）を用いることができる。
【００２４】
図２に示すように、パルプとポリマーを含む吸収体２の上面及び下面は、クレープ紙３及び４で包まれており、表面シート６側のクレープ紙３上にｐＨインクでｐＨ判別部５が形成される。そして、クレープ紙３及び４で包まれた吸収体２は、表面シート６と裏面シート７との間に介装される。
【００２５】
また、図２に示すように、ｐＨ判別部５が形成されたクレープ紙３の直下の吸収体２にはポリマー８が存在しない領域ＡＲ１が形成される。言い換えれば、ｐＨ判別部５が形成されたクレープ紙３の直下の吸収体２の上層から下層に亘ってポリマー８が存在しない領域ＡＲ１が形成される。
【００２６】
このようなペット用吸収性シート１００の製造方法、特に、吸収体２における領域ＡＲ１の製造方法は以下の通りである。すなわち、吸収体２にポリマー８を散布する工程において、ｐＨ判別部５が形成される位置をマスキングした上で、ポリマー８を散布することにより、吸収体２内にポリマー８が存在しない領域ＡＲ１が形成される。
【００２７】
ここで、ペットの排尿時における尿のｐＨを判別する過程を説明する。ペット用吸収性シート１００にペットが排尿すると、排泄された尿は表面シート６及びクレープ紙３を透過して吸収体２で吸収される。
この時、クレープ紙３上に形成されたｐＨ判別部５のｐＨインクは、浸透してきた尿と接触して、排泄された尿のｐＨに応じて変色することになる。そして、ｐＨ判別部５の呈する色を確認することにより、尿のｐＨ値を把握することができる。
【００２８】
一方、ｐＨ判別部５が形成されたクレープ紙３の直下にはポリマー８が存在しない領域ＡＲ１が形成されているため、他の領域と比較して尿の水分がポリマー８に吸収されにくくなるので、ｐＨ判別部５が形成されたクレープ紙３の乾く速度が遅くなる。
【００２９】
すなわち、ｐＨ判別部５が形成されたクレープ紙３の直下の吸収体２にポリマー８が存在しない領域ＡＲ１を形成することにより、当該領域のクレープ紙３が乾きにくくなるので、クレープ紙３の乾燥による色の変化を低下することができる。
【００３０】
以上のように、ｐＨ判別部５が形成されたクレープ紙３の直下の吸収体２にポリマー８が存在しない領域ＡＲ１が形成されることにより、ｐＨ判別部５が形成されたクレープ紙３は時間の経過により乾く速度が遅くなるで、排尿時から時間が経過した場合であっても尿のｐＨ値を反映した色を呈することができ、尿のｐＨ値を把握することができる。
【００３１】
（第２実施形態）
本発明の第２実施形態のペット用吸収性シートについて、図３及び図４に基づいて説明する。
【００３２】
ペット用吸収性シート１０１、図３に示すように、略長方形の形状となっており、例えば、ペット用トイレの床面やフローリング等の上に敷いて使用され、ペットにより排泄された排泄物の水分を表面からシート内に吸収する。また、ペット用吸収性シート１０１にはｐＨインクでｐＨ判別部９が形成されている。
【００３３】
図４に示すように、パルプとポリマーを含む吸収体１０の上面及び下面は、クレープ紙１１及び１２で包まれており、表面シート１４側のクレープ紙１１上にｐＨインクでｐＨ判別部１３が形成される。そして、クレープ紙１１及び１２で包まれた吸収体１０は、表面シート１４と裏面シート１５との間に介装される。
【００３４】
また、図４に示すように、ｐＨ判別部１３が形成されたクレープ紙１１の直下の吸収体１０には、クレープ紙１１側にポリマー１６が存在しない領域ＡＲ２が形成される。言い換えれば、ｐＨ判別部１３が形成されたクレープ紙１１の直下の吸収体１０の上層の一部にポリマー１６が存在しない領域ＡＲ２が形成される。
【００３５】
但し、第１実施形態とは異なり、吸収体１０であって領域ＡＲ２の底面からクレープ紙１２側にかけてはポリマー１６が存在している。言い換えれば、ｐＨ判別部１３が形成されたクレープ紙１１の直下の吸収体１０では、ポリマー１６の散布量を他の領域と比較して少なくしている。
【００３６】
このようなペット用吸収性シート１０１の製造方法、特に、領域ＡＲ２の製造方法は以下の通りである。すなわち、吸収体１０にポリマー１６を散布する工程において、第１の工程として、ポリマー１６を均一に散布し、第２の工程として、ｐＨ判別部１３が形成される位置をマスキングした上で、ポリマー１６をさらに散布することにより、吸収体１０内の下層にポリマー１６が存在すると共に、吸収体１０の上層の一部にはポリマー１６が存在しない領域ＡＲ２が形成される。
【００３７】
ここで、ペットの排尿時における尿のｐＨを判別する過程を説明する。ペット用吸収性シート１０１にペットが排尿すると、排泄された尿は表面シート１４及びクレープ紙１１を透過して吸収体１０で吸収される。
この時、クレープ紙１１上に形成されたｐＨ判別部１３のｐＨインクは、浸透してきた尿と接触して、排泄された尿のｐＨに応じて変色することになる。そして、ｐＨ判別部１３の呈する色を確認することにより、尿のｐＨ値を把握することができる。
【００３８】
一方、ｐＨ判別部１３が形成されたクレープ紙１１の直下にはポリマー１６が存在しない領域ＡＲ２が形成されているため、他の領域と比較して尿の水分がポリマー１６に吸収されにくくなるので、ｐＨ判別部１３が形成されたクレープ紙１１の乾く速度が遅くなる。
【００３９】
すなわち、ｐＨ判別部１３が形成されたクレープ紙１１の直下の吸収体１０にポリマー１６が存在しない領域ＡＲ２を形成することにより、当該領域のクレープ紙１１が乾きにくくなるので、クレープ紙１１の乾燥による色の変化を低下することができる。
【００４０】
以上のように、ｐＨ判別部１３が形成されたクレープ紙１１の直下の吸収体１０にポリマー１６が存在しない領域ＡＲ２が形成されることにより、ｐＨ判別部１３が形成されたクレープ紙１１の時間の経過により乾く速度が遅くなるで、排尿時から時間が経過した場合であっても尿のｐＨ値を反映した色を呈することができ、尿のｐＨ値を把握することができる。
【００４１】
（第３実施形態）
本発明の第３実施形態のペット用吸収性シートについて、図５及び図６に基づいて説明する。
【００４２】
ペット用吸収性シート１０２、図５に示すように、略長方形の形状となっており、例えば、ペット用トイレの床面やフローリング等の上に敷いて使用され、ペットにより排泄された排泄物の水分を表面からシート内に吸収する。また、ペット用吸収性シート１０２にはｐＨインクでｐＨ判別部１７が形成されている。
【００４３】
図６に示すように、パルプとポリマーを含む吸収体１８の上面及び下面は、クレープ紙１９及び２０で包まれており、表面シート２２側のクレープ紙１９上にｐＨインクでｐＨ判別部２１が形成される。そして、クレープ紙１９及び２０で包まれた吸収体１８は、表面シート２２と裏面シート２３との間に介装される。
【００４４】
また、図６に示すように、吸収体１８は上層吸収体１８１と下層吸収体１８２とから構成されており、上層吸収体１８１にはポリマー２４が存在せず、下層吸収体１８２にはポリマー２４が均一に存在している。
【００４５】
すなわち、第２実施形態における領域ＡＲ２及びその下層に存在するポリマーによる構成に相当するポリマー２４の散布量が少ない構成が吸収体１８全体に亘って形成されている。
【００４６】
このようなペット用吸収性シート１０２の製造方法、特に、吸収体１８の製造方法は以下の通りである。すなわち、吸収体１８にポリマー２４を散布する工程において、第１の工程として、ポリマー２４を均一に散布し、第２の工程として、紙綿のみを散布することにより、上層吸収体１８１にはポリマー２４が存在せず、下層吸収体１８２にはポリマー２４が均一に存在する吸収体１８が形成される。
【００４７】
或いは、第１の工程でポリマー２４が存在しない上層吸収体１８１を製造し、第２の工程でポリマー２４が均一に存在する下層吸収体１８２を製造し、第３の工程で上層吸収体１８１と、下層吸収体１８２とを重ね合わせることにより、吸収体１８を形成する。
勿論、この場合、第１の工程と第２の工程との順番が入れ替わっても構わない。
【００４８】
ここで、ペットの排尿時における尿のｐＨを判別する過程を説明する。ペット用吸収性シート１０２にペットが排尿すると、排泄された尿は表面シート２２及びクレープ紙１９を透過して吸収体１８で吸収される。
この時、クレープ紙１９上に形成されたｐＨ判別部２１のｐＨインクは、浸透してきた尿と接触して、排泄された尿のｐＨに応じて変色することになる。そして、ｐＨ判別部２１の呈する色を確認することにより、尿のｐＨ値を把握することができる。
【００４９】
一方、ｐＨ判別部２１が形成されたクレープ紙１９の直下には、ポリマー２４が存在しない上層吸収体１８１と、ポリマー２４が均一に存在する下層吸収体１８２とから構成される吸収体１８存在するため、吸収体１８全体に亘って尿の水分が直接ポリマー２４に吸収されることがなくなるので、クレープ紙１９全体に亘って乾く速度が遅くなる。
【００５０】
すなわち、吸収体１８を、ポリマー２４が存在しない上層吸収体１８１と、ポリマー２４が均一に存在する下層吸収体１８２とから構成することにより、全領域に亘ってクレープ紙１９が乾きにくくなるので、クレープ紙１８の乾燥による色の変化を低下することができる。
【００５１】
以上のように、吸収体１８を、ポリマー２４が存在しない上層吸収体１８１と、ポリマー２４が均一に存在する下層吸収体１８２とから構成することにより、ｐＨ判別部２１が形成されたクレープ紙１９は時間の経過により乾く速度が遅くなるで、排尿時から時間が経過した場合であっても尿のｐＨ値を反映した色を呈することができ、尿のｐＨ値を把握することができる。
【００５２】
（変形例１）
本発明の第１実施形態から第３実施形態の変形例１について、図７に基づいて説明する。
図７は変形例１のペット用吸収性シートの一例を示す平面図であり、ペット用吸収性シートのｐＨ判別部２５が形成されたクレープ紙（図示せず）の直下の吸収体（図示せず）に、前述の領域ＡＲ１や領域ＡＲ２が形成されるのではなく、ｐＨ判別部２５が並ぶ列ＣＭ１及び列ＣＭ２の全体に亘って、前述の領域ＡＲ１や領域ＡＲ２を形成する。
或いは、ｐＨ判別部２５が並ぶ列ＣＭ１及び列ＣＭ２の全体に亘って、第３実施形態における、ポリマー２４が存在しない上層吸収体１８１と、ポリマー２４が均一に存在する下層吸収体１８２とから構成される吸収体１８を形成する。
但し、ｐＨ判別部２５が並ぶ列ＣＭ１及び列ＣＭ２以外の領域においては、上層から下層に均一にポリマーが塗布される。
【００５３】
以上のように、変形例１によれば、特に、第１及び第２実施形態の変形例１よれば、吸収体の製造の工程では、ｐＨ判別部２５が並ぶ列毎にマスキングを行なえば良く、ｐＨ判別部が形成される位置を各々マスキングする必要がなくなり、工程を簡素化することができる。
【００５４】
（変形例２）
本発明の第１実施形態から第３実施形態の変形例２について、図８に基づいて説明する。
図８は変形例２のペット用吸収性シートの一例を示す平面図であり、ペット用吸収性シートのｐＨ判別部２５は、第１実施形態から第３実施形態等のように規則正しく配置されるのではなく、ランダム（任意の位置）に配置されている。
さらに、ｐＨ判別部２５が形成されたクレープ紙（図示せず）の直下の吸収体（図示せず）には、前述の領域ＡＲ１や領域ＡＲ２が形成され、或いは、第３実施形態における、ポリマー２４が存在しない上層吸収体１８１と、ポリマー２４が均一に存在する下層吸収体１８２とから構成される吸収体１８が形成される。
【００５５】
以上のように、変形例２によれば、特に、第３実施形態の変形例２よれば、吸収体は任意の位置でポリマーが存在しない領域が形成されているので、ｐＨ判別部２５をランダム（任意の位置）に配置させても、必ずその直下にポリマーが存在しない領域が存在することになり、特別な工程を追加することなく、ｐＨ判別部２５のランダム（任意の位置）配置が可能になる。
【００５６】
なお、第１実施形態から第３実施形態等の説明に際しては、ｐＨ判別部は表面シート側のクレープ紙上にｐＨインクで形成される旨説明しているが、表面シート上にｐＨインクでｐＨ判別部を形成しても勿論構わない。さらに、クレープ紙と表面シートとの間に液移送シートを配置して、当該液移送シート上にｐＨインクでｐＨ判別部を形成しても勿論構わない。
【００５７】
また、第１実施形態や第２実施形態では、吸収体に領域ＡＲ１や領域ＡＲ２を形成しても、製造過程、流通過程、倉庫での保管過程、実際に使用する際に、散布されたポリマーが移動して領域ＡＲ１や領域ＡＲ２がなくなってしまうことも考えられるので、吸収体にエンボス加工を施し、吸収体を細かく複数の領域に区切ることにより、ポリマーの移動を防止することも有効である。具体的には、少なくとも吸収体に形成された領域ＡＲ１や領域ＡＲ２の境界に沿ってエンボスが加工を施すことが望ましい。
【００５８】
また、表面シートに関しては、有孔又は無孔の不織布や、多孔性プラスチックシート等と例示したが、メッシュシート等、尿等の液体を速やかに透過させる透液性を有するものであればどのような素材であっても構わない。
【００５９】
また、裏面シートに関しては、不透液性の素材であれば、特に限定されるものではなく、通気性を有するものであっても、非通気の素材であっても、何れであっても構わない。
【００６０】
また、吸収体に関しては、パルプ及びポリマーの混合、若しくは、層状積層体から構成されても良く、ポリマーが存在しない層が存在するものであっても構わない。
【００６１】
また、ペット用吸収性シートに対して、消臭剤や抗菌剤等を適宜使用することにより、消臭性を向上させたり、抗菌性を向上させても勿論構わない。
【符号の説明】
【００６２】
１、５、９、１３、１７、２１、２５  ｐＨ判別部
２、１０、１８  吸収体
３、４、１１、１２、１９、２０  クレープ紙
６、１４、２２  表面シート
７、１５、２３  裏面シート
８、１６、２４  ポリマー（高吸水性樹脂）
１８１  上層吸収体
１８２  下層吸収体
１００、１０１、１０２  ペット用吸水性シート
ＡＲ１、ＡＲ２  領域
ＣＭ１、ＣＭ２  列
【図１】
2014068591.tif 000003
【図２】
2014068591.tif 000004
【図３】
2014068591.tif 000005
【図４】
2014068591.tif 000006
【図５】
2014068591.tif 000007
【図６】
2014068591.tif 000008
【図７】
2014068591.tif 000009
【図８】
2014068591.tif 000010